(57)【要約】【課題】  ユーザが求める情報をタイムリーに提供する。【解決手段】  本発明は、所定の情報を配信する情報配信サーバ１と情報配信サーバ１に情報の配信を要求する情報配信要求端末３と、情報配信サーバ１から情報の配信を受ける情報受信端末４とが情報通信ネットワーク５を介して相互に接続されて構成された情報配信システムであって、情報配信要求端末３を介して入力された配信希望情報及び配信希望時間帯をデータ格納部１３に格納し、データ格納部１３に格納された前記配信希望情報に基づき配信情報を生成し、該配信情報を前記配信希望時間帯に情報受信端末４に自動配信する情報配信手段７を備えていることを特徴とする。【選択図】  図１
2006268078.tif 000002
【特許請求の範囲】
【請求項１】
所定の情報を配信する情報配信サーバと該情報配信サーバに情報の配信を要求する情報配信要求端末と、前記情報配信サーバから情報の配信を受ける情報受信端末とが情報通信ネットワークを介して相互に接続されて構成された情報配信システムであって、
前記情報配信要求端末を介して入力された配信希望情報及び配信希望時間帯をデータ格納部に格納し、該データ格納部に格納された前記配信希望情報に基づき配信情報を生成し、該配信情報を前記配信希望時間帯に前記情報受信端末に自動配信する情報配信手段を備えていることを特徴とする情報配信システム。
【請求項２】
前記情報配信手段は、前記情報受信端末において前記配信情報の中から特定の情報が選択された場合に、前記情報配信要求端末に対して、前記特定の情報に関する詳細情報を前記情報受信端末に配信するよう命令する手段をさらに備えている請求項１に記載の情報配信システム。
【請求項３】
広告を配信する広告配信サーバと該広告配信サーバに広告の配信を要求する店舗側端末と、前記広告配信サーバから広告の配信を受ける消費者側端末とが情報通信ネットワークを介して相互に接続されて構成された広告配信システムであって、
前記店舗側端末を介して入力された広告の配信希望情報及び配信希望時間帯を広告データ格納部に格納し、該広告データ格納部に格納された前記配信希望情報に基づき広告を生成し、該広告を前記配信希望時間帯に前記消費者側端末に自動配信する広告配信手段を備えていることを特徴とする請求項１に記載の情報配信システム。
【請求項４】
前記広告配信手段は、前記消費者側端末において前記配信された広告の中から特定の広告が選択された場合に、前記店舗側端末に対して、前記特定の広告に関する詳細情報を前記消費者側端末に配信するよう命令する手段をさらに備えている請求項３に記載の情報配信システム。
【請求項５】
前記広告配信手段は、前記消費者側端末において、最新に配信した広告をその直前に配信した広告の直上に表示させ、所定時間経過後に前記広告を削除するように制御する手段をさらに備えている請求項３又は４に記載の情報配信システム。
【請求項６】
前記広告配信手段は、前記消費者側端末における前記特定の広告の選択データを分析し、該分析した結果を前記消費者側端末に自動配信する手段をさらに備えている請求項３〜５のいずれか１の請求項に記載の情報配信システム。
【請求項７】
前記広告配信手段は、前記店舗側端末を介して前記広告データ格納部に格納された広告の配信希望時間帯に基づき広告配信の時間帯別予約状況を示す広告配信予約状況一覧表を生成し、前記店舗側端末からの広告の入力時に、前記広告配信予約状況一覧表を前記店舗側端末に配信する手段をさらに備えている請求項３〜６のいずれか１の請求項に記載の情報配信システム。
【請求項８】
前記広告配信手段は、前記消費者端末を介して商品動向データ格納部に格納された消費者の入力データに基づき商品動向を分析し、前記店舗側端末からの広告の入力時に、前記分析した結果を前記店舗側端末に配信する手段をさらに備えている請求項３〜７のいずれか１の請求項に記載の情報配信システム。
【請求項９】
所定の情報を配信する情報配信サーバと該情報配信サーバに情報の配信を要求する情報配信要求端末と、前記情報配信サーバから情報の配信を受ける情報受信端末とが情報通信ネットワークを介して相互に接続された環境下において、所定の情報を配信する情報配信方法であって、
前記情報配信サーバが前記情報配信要求端末を介して入力された配信希望情報及び配信希望時間帯をデータ格納部に格納するステップと、
該データ格納部に格納された前記配信希望情報に基づき、前記情報配信サーバが前記情報受信端末に配信する配信情報を生成するステップと、
前記情報配信サーバが前記生成された配信情報を前記配信希望時間帯に前記情報受信端末に自動配信するステップと、
を備えていることを特徴とする情報配信方法。
【請求項１０】
前記情報受信端末において前記配信情報の中から特定の情報が選択された場合に、前記情報配信サーバが、前記情報配信要求端末に対して、前記特定の情報に関する詳細情報を前記情報受信端末に配信するよう命令するステップをさらに備えている請求項９に記載の情報配信方法。
【請求項１１】
広告を配信する広告配信サーバと該広告配信サーバに広告の配信を要求する店舗側端末と、前記広告配信サーバから広告の配信を受ける消費者側端末とが情報通信ネットワークを介して相互に接続された環境下において、広告を配信する広告配信方法であって、
前記広告配信サーバにおいて前記店舗側端末を介して登録された広告の配信希望情報及び配信希望時間帯を広告データ格納部に格納するステップと、
前記広告配信サーバが前記広告データ格納部に格納された前記配信希望情報に基づき広告を生成するステップと、
前記広告配信サーバが前記広告を前記配信希望時間帯に前記消費者側端末に自動配信するステップと、
を備えていることを特徴とする請求項９に記載の情報配信方法。
【請求項１２】
前記消費者側端末において前記配信された広告の中から特定の広告が選択された場合に、前記広告配信サーバが、前記店舗側端末に対して、前記特定の広告に関する詳細情報を前記消費者側端末に配信するよう命令するステップをさらに備えている請求項１１に記載の情報配信方法。
【請求項１３】
前記広告配信サーバが前記消費者側端末に最新に配信した広告をその直前に配信した広告の直上に表示させるステップと、
前記広告配信サーバが所定時間経過後に前記広告を削除するように制御するステップと、
をさらに備えている請求項１１又は１２に記載の情報配信方法。
【請求項１４】
前記広告配信手段が前記消費者側端末における前記特定の広告の選択データを分析し、該分析した結果を前記消費者端末に自動配信するステップをさらに備えている請求項１１〜１２のいずれか１の請求項に記載の情報配信方法。
【請求項１５】
前記広告配信手段が前記店舗側端末を介して前記広告データ格納部に格納された広告の配信希望時間帯に基づき広告配信の時間帯別予約状況を示す広告配信予約状況一覧表を生成するステップと、
前記広告配信手段が、前記店舗側端末からの広告の入力時に、前記広告配信予約状況一覧表を前記店舗側端末に配信するステップと、
をさらに備えている請求項１２〜１４のいずれか１の請求項に記載の情報配信システム。
【請求項１６】
前記広告配信手段が前記消費者端末を介して商品動向データ格納部に格納された消費者の入力データに基づき商品動向を分析するステップと、
前記広告配信手段が、前記店舗側端末からの広告の入力時に、前記分析した結果を前記店舗側端末に配信するステップと、
をさらに備えている請求項１２〜１５のいずれか１の請求項に記載の情報配信システム。
【請求項１７】
請求項９〜１６のいずれか１の請求項に記載の各ステップをコンピュータに実行させるための情報配信プログラム。
【発明の詳細な説明】
【技術分野】
【０００１】
本発明は、広告等の所定の情報を配信する情報配信サーバと該情報配信サーバに情報の配信を要求する情報配信要求端末と、前記情報配信サーバから情報の配信を受ける情報受信端末とが情報通信ネットワークを介して相互に接続されて構成された情報配信システム及びその方法、並びに情報配信プログラムに関する。
【背景技術】
【０００２】
近年、インターネットに代表される情報通信ネットワークの発展に伴い、情報通信ネットワークを利用してユーザに対して広告等の情報を配信することが広く行われるようになっている。（例えば、特許文献１〜４参照）。
【特許文献１】特開２００２−５６２７３号公報
【特許文献２】特開２００２−１８３５９８号公報
【特許文献３】特開２００４−２０６４１８号公報
【特許文献４】特開２００５−３２１０４号公報
【発明の開示】
【発明が解決しようとする課題】
【０００３】
しかしながら、上記した従来の情報配信システム及びその方法では、ユーザが情報へアクセスするのを情報提供者がただ待つシステムや方法になっていたため、ユーザにとっては求める情報に辿り着くのに手間が掛かり、また、情報提供者にとっては効率よく情報を提供することができず、提供する情報をユーザが要求する情報に一致させることが難しいといった問題があった。さらに、提供される情報はメインコンテンツの周囲に表示されることが多いため、ユーザの情報への注目度が低く、ユーザがその情報にアクセスする頻度を高めることは非常に困難であった。
【０００４】
また、提供される情報が商品の広告の場合、消費者が自ら検索やクリックをしながら商品にアクセスする方法では、目的もなく買物をするといったウィンドショッピングの感覚や楽しさを消費者に与えることができないといった問題もあった。
【０００５】
さらに、消費者がインターネット上で検索によって商品を探して購入する場合には、新しい情報と古い情報との区別が難しく、また、ショッピングに関係ない情報も混在するおそれがあった。一方、ショッピングサイトで商品を探して購入する場合には、求める商品に辿り着くまでに数回のクリック、或いは検索をする必要があるため、手間が掛かり、また、折角、求める商品に辿り着いても、その広告が古い情報であったり、或いは、求める商品が売り切れ状態となっていたりすることもあり、消費者が効率良く商品を購入することができないといった問題があった。
【０００６】
さらにまた、広告を配信する側にとっては、インターネット上で広告配信の事業を立ち上げるには多大な費用が掛かり、さらに、継続して運営するには資本をある程度用意しなければならず、経済的に困窮するおそれがあるといった問題があった。また、商品の売上を伸ばすために複数のショッピングモールに出店した場合には、商品情報や顧客情報の一元管理ができないといった問題もあった。
【０００７】
本発明は、上記した課題を解決すべくなされたものであり、ユーザが求める情報をタイムリーに提供し、また、提供される情報が商品の広告の場合には、消費者に対して、ショッピングの楽しみを供与すると共に商品の探索の手間を軽減させる一方、店舗に対しては、商品情報と顧客情報の一元管理を可能にさせ、運営の効率化を可能にさせる情報配信システム及びその方法を提供しようとするものである。
【課題を解決するための手段】
【０００８】
本発明は、所定の情報を配信する情報配信サーバと該情報配信サーバに情報の配信を要求する情報配信要求端末と、前記情報配信サーバから情報の配信を受ける情報受信端末とが情報通信ネットワークを介して相互に接続されて構成された情報配信システムであって、前記情報配信要求端末を介して入力された配信希望情報及び配信希望時間帯をデータ格納部に格納し、該データ格納部に格納された前記配信希望情報に基づき配信情報を生成し、該配信情報を前記配信希望時間帯に前記情報受信端末に自動配信する情報配信手段を備えていることを特徴とする。
【０００９】
また、前記情報配信手段は、前記情報受信端末において前記配信情報の中から特定の情報が選択された場合に、前記情報配信要求端末に対して、前記特定の情報に関する詳細情報を前記情報受信端末に配信するよう命令する手段をさらに備えている。
【００１０】
そして、好ましくは、広告を配信する広告配信サーバと該広告配信サーバに広告の配信を要求する店舗側端末と、前記広告配信サーバから広告の配信を受ける消費者側端末とが情報通信ネットワークを介して相互に接続されて構成された広告配信システムであって、前記店舗側端末を介して入力された広告の配信希望情報及び配信希望時間帯を広告データ格納部に格納し、該広告データ格納部に格納された前記配信希望情報に基づき広告を生成し、該広告を前記配信希望時間帯に前記消費者側端末に自動配信する広告配信手段を備えているのがよい。
【００１１】
さらに、前記広告配信手段は、前記消費者側端末において前記配信された広告の中から特定の広告が選択された場合に、前記店舗側端末に対して、前記特定の広告に関する詳細情報を前記消費者側端末に配信するよう命令する手段をさらに備えている。
【００１２】
さらにまた、前記広告配信手段は、前記消費者側端末において、最新に配信した広告をその直前に配信した広告の直上に表示させ、所定時間経過後に前記広告を削除するように制御する手段をさらに備えている。
【００１３】
また、前記広告配信手段は、前記消費者側端末における前記特定の広告の選択データを分析し、該分析した結果を前記消費者側端末に自動配信する手段をさらに備えている。
【００１４】
さらに、前記広告配信手段は、前記店舗側端末を介して前記広告データ格納部に格納された広告の配信希望時間帯に基づき広告配信の時間帯別予約状況を示す広告配信予約状況一覧表を生成し、前記店舗側端末からの広告の入力時に、前記広告配信予約状況一覧表を前記店舗側端末に配信する手段をさらに備えている。
【００１５】
また、前記広告配信手段は、前記消費者端末を介して商品動向データ格納部に格納された消費者の入力データに基づき商品動向を分析し、前記店舗側端末からの広告の入力時に、前記分析した結果を前記店舗側端末に配信する手段をさらに備えている。
【００１６】
また、本発明は、所定の情報を配信する情報配信サーバと該情報配信サーバに情報の配信を要求する情報配信要求端末と、前記情報配信サーバから情報の配信を受ける情報受信端末とが情報通信ネットワークを介して相互に接続された環境下において、所定の情報を配信する情報配信方法であって、前記情報配信サーバが前記情報配信要求端末を介して入力された配信希望情報及び配信希望時間帯をデータ格納部に格納するステップと、該データ格納部に格納された前記配信希望情報に基づき、前記情報配信サーバが前記情報受信端末に配信する配信情報を生成するステップと、前記情報配信サーバが前記生成された配信情報を前記配信希望時間帯に前記情報受信端末に自動配信するステップとを備えていることを特徴とする。
【００１７】
また、前記情報受信端末において前記配信情報の中から特定の情報が選択された場合に、前記情報配信サーバが、前記情報配信要求端末に対して、前記特定の情報に関する詳細情報を前記情報受信端末に配信するよう命令するステップをさらに備えている。
【００１８】
そして、好ましくは、広告を配信する広告配信サーバと該広告配信サーバに広告の配信を要求する店舗側端末と、前記広告配信サーバから広告の配信を受ける消費者側端末とが情報通信ネットワークを介して相互に接続された環境下において、広告を配信する広告配信方法であって、前記広告配信サーバにおいて前記店舗側端末を介して登録された広告の配信希望情報及び配信希望時間帯を広告データ格納部に格納するステップと、前記広告配信サーバが前記広告データ格納部に格納された前記配信希望情報に基づき広告を生成するステップと、前記広告配信サーバが前記広告を前記配信希望時間帯に前記消費者側端末に自動配信するステップとを備えているのがよい。
【００１９】
また、前記消費者側端末において前記配信された広告の中から特定の広告が選択された場合に、前記広告配信サーバが、前記店舗側端末に対して、前記特定の広告に関する詳細情報を前記消費者側端末に配信するよう命令するステップをさらに備えている。
【００２０】
また、前記広告配信サーバが前記消費者側端末に最新に配信した広告をその直前に配信した広告の直上に表示させるステップと、前記広告配信サーバが所定時間経過後に前記広告を削除するように制御するステップとをさらに備えている。
【００２１】
また、前記広告配信手段が前記消費者側端末における前記特定の広告の選択データを分析し、該分析した結果を前記消費者端末に自動配信するステップをさらに備えている。
【００２２】
また、前記広告配信手段が前記店舗側端末を介して前記広告データ格納部に格納された広告の配信希望時間帯に基づき広告配信の時間帯別予約状況を示す広告配信予約状況一覧表を生成するステップと、前記広告配信手段が、前記店舗側端末からの広告の入力時に、前記広告配信予約状況一覧表を前記店舗側端末に配信するステップとをさらに備えている。
【００２３】
また、前記広告配信手段が前記消費者端末を介して商品動向データ格納部に格納された消費者の入力データに基づき商品動向を分析するステップと、前記広告配信手段が、前記店舗側端末からの広告の入力時に、前記分析した結果を前記店舗側端末に配信するステップとをさらに備えている。
【００２４】
さらに、本発明は、上記記載の各ステップをコンピュータに実行させるための広告配信プログラムである。
【発明の効果】
【００２５】
本発明によれば、ユーザが求める情報をタイムリーに提供することができ、また、提供される情報が商品の広告の場合には、消費者に対して、ショッピングの楽しみを供与することができると共に商品の探索の手間を軽減させることができ、店舗に対しては、商品情報と顧客情報の一元管理を可能にさせ、運営の効率化を可能にさせることが可能となる等、種々の優れた効果を得ることができる。
【発明を実施するための最良の形態】
【００２６】
以下、図面を参照しつつ、本発明の実施の形態について説明する。なお、以下の説明では、情報通信ネットワークとしてインターネットを利用し、情報として商品の広告を配信する場合について、例示して説明する。
【００２７】
先ず、図１を参照しつつ、本発明の実施の形態に係る情報配信システムの構成について説明する。ここで、図１は本発明の実施の形態に係る情報配信システムの全体構成を示す概略図である。
【００２８】
本実施の形態に係る情報配信システムは、広告を配信する広告配信サーバ１と、広告に関する各種データを保管する広告データベース２と、広告配信サーバ１に広告の配信を要求する店舗側端末３と、広告配信サーバ１から広告の配信を受ける消費者側端末４とから構成されており、広告配信サーバ１と店舗側端末３と消費者側端末４とはインターネット５を介して相互に接続されている。
【００２９】
広告配信サーバ１は、店舗側端末３からの利用者に対する認証処理を行うための認証部６と、広告に関する各種データの処理を行うための制御部７と、店舗側端末３及び消費者側端末４との間において各種データの中継処理を行うための通信部８と、消費者により選択された広告に関する各種データの分析を行うための選択データ分析部９と、消費者側端末３を介して入力された消費者の嗜好に関するデータに基づき商品動向の分析を行うための商品動向分析部１０と、店舗に対する課金処理を行うための課金部１１とを備えている。
【００３０】
また、広告データベース２は、店舗側端末２の利用者の認証データを格納するための認証データ格納部１２と、店舗側端末２を介して入力された広告に関する各種データを格納するための広告データ格納部１３と、消費者により選択された広告に関する各種データを格納するための選択データ格納部１４と、消費者側端末３を介して入力された消費者の嗜好に関するデータを格納する商品動向データ格納部１５とを備えている。
【００３１】
広告側端末３は、キーボードやマウス等の入力部１６と、ＣＰＵ（Central Processing Unit）等の制御部１７と、広告配信サーバ１や消費者側端末４との間で各種データの中継処理を行うための通信部１８と、ＣＲＴ（Cathode-Ray Tube）やＬＣＤ（Liquid
Crystal Display）等の表示部１９と、ハードディスク等の記憶部２０とを備えている。また、消費者側端末４も、店舗側端末３と同様に、それぞれ、入力部２１、制御部２２、通信部２３、表示部２４、及び記憶部２５を備えている。
【００３２】
次に、図１及び図２〜図７を参照しつつ、本発明の実施の形態に係る広告配信システムの作用について説明する。
【００３３】
先ず、図１及び図２〜図４を参照しつつ、店舗側端末３から商品の広告に関するデータを登録する時の作用について説明する。ここで、図２は本実施の形態に係る情報配信システムにおいて、店舗側端末３から商品の広告に関するデータを登録する時の処理手順を示すフローチャート、図３は店舗側端末３から商品の広告に関するデータを登録する時に表示される画面を示す図、図４は店舗側端末３から商品の広告に関するデータを登録する時に表示される商品動向分析画面を示す図である。
【００３４】
図２に示すように、利用者が店舗側端末３からＩＤやパスワード等の所定の認証データを入力し、本システムにアクセスすると（Ｓ１０１）、広告配信サーバ１は通信部８を介してこの認証データを受信し、認証部６はこの入力された認証データを認証データ格納部１２に予め格納されている前記利用者の認証データと照合し、認証作業を行う。この結果、認証部６が前記利用者の認証を行うことができた場合には、広告制御部７が通信部８を介して広告データ登録用データを店舗側端末３に送信することにより、表示部１９に広告データ登録画面２６が表示される。（Ｓ１０２）。
【００３５】
この広告データ登録画面２６からは、図３に示すように、商品名、商品説明文、販売個数、商品画像、商品ページのＵＲＬ，メーカー希望小売価格、販売価格、カテゴリー、ギフト設定の可否、健康志向商品の設定の可否、特産品の設定の可否等の、各種配信希望情報の他、広告を配信させる希望時間帯の予約指定ができるようになっている。また、広告データ登録画面２６には、広告配信の時間帯別予約状況を示す広告配信予約状況一覧表２７が表示されるようになっており、前記利用者は、この広告配信予約状況一覧表２７を参照しながら、広告の表示時間を予約指定できるようになっている。この場合、広告配信予約状況一覧表２７には、１分毎の時間帯で広告配信の予約数が表示されるようになっており、各時間帯に予約可能な最大件数は９９件に設定されている。また、この広告配信予定状況一覧表２７において、広告の有効表示期間は表示開始から２４時間に設定されており、表示期間中、同一商品の広告の予約はできないようになっている。
【００３６】
また、広告配信サーバ１では、消費者側端末４を介して入力された商品カテゴリー別の検索キーワードに関するデータに基づき、商品動向分析部１０は、常時、商品動向を分析し、商品動向分析データを生成し、その商品動向分析データを商品動向データ格納部１５に保管している。したがって、店舗側端末３の利用者が、広告データ登録画面２６において、「登録キーワード検索」をクリックすると、広告制御部７は、商品動向データ格納部１５に格納された商品動向分析データに基づき、商品動向分析画面２８を店舗側端末３に配信し、その表示部１９に表示させる。
【００３７】
この商品動向分析画面２８からは、図４に示すように、前記利用者が、期間や商品のカテゴリーを入力することにより、消費者が商品を検索する時のキーワードが検索人数の多い順にその検索人数と共に一覧に表示されるようになっている。この結果、前記利用者は、前記広告データ登録画面２６から前記配信希望情報を入力する時に、この商品動向分析画面２８を参照することにより、消費者の「欲しい商品」や「気になる商品」を把握することができるため、消費者のニーズに合った商品の広告をタイムリー且つダイレクトに多量に発信することができ、効率良く商品の広告を行うことができるようになる。
【００３８】
再び、図２において、前記広告データ登録画面２６の指示に従って、前記利用者が前記配信希望情報及び配信希望時間帯に関するデータを入力すると（Ｓ１０４）、広告配信サーバ１において、広告制御部７は、入力データの内容をチェックする（Ｓ１０５）。その結果、広告制御部７は、その入力内容に不備がないと判断した場合には、そのデータを広告データベース２の広告データ格納部１３に保管する（Ｓ１０７）。そして、前記利用者により広告配信希望状況一覧表２７を介して予約された配信希望時間帯に従い、広告制御部７は、前記配信希望情報に基づき広告データを１分毎に自動生成し、該広告データを通信部８から消費者側端末４に自動配信する（Ｓ１０８）。一方、ステップ１０６において、広告制御部７が、前記広告データの入力内容に不備があると判断した場合には、店舗側端末３にその旨通知し、再度、広告データの入力を促す（Ｓ１０４）。
【００３９】
次に、図１及び図５〜図７を参照しつつ、消費者側端末４から商品を購入する時の作用について説明する。ここで、図５は本発明の実施の形態に係る情報配信システムにおいて、消費者が商品を購入する時の処理手順を示すフローチャート、図６は消費者が商品を購入する時に表示されるメインの広告画面を示す図、図７は消費者が商品を購入する時に表示されるサブ画面を示す図である。
【００４０】
図５に示すように、先ず、消費者が消費者側端末４から本システムにアクセスすると（Ｓ２０１）、広告配信サーバ１において、広告制御部７は、前記自動生成した広告データを通信部８から消費者側端末４に自動配信し（Ｓ２０２）、その広告データは消費者側端末４の表示部２４において広告画面として表示される。
【００４１】
この広告画面２９は、図６に示すように、商品のカテゴリー別に設定された件数の広告をそれぞれ層状に表示するようになっている。そして、広告画面２９に表示される各広告は、上記したように、広告制御部８によって、前記配信希望時間帯に従って１分毎に自動生成されると共に消費者側端末４に自動配信され、最新に配信された広告がその直前に配信された広告の直上位置に表示され、２４時間経過後に、前記各広告は削除されるようになっている。すなわち、消費者側端末４では、１分毎に広告が最新の広告に自動更新され、その最新の広告が消費者の最も目に付く位置に表示され、２４時間経過した古い広告は削除される。したがって、消費者は、商品情報を自ら探すことなく、リアルタイムでフレッシュな商品情報を得ることができ、目的がなくても表示画面を見ているだけでウィンドショッピングの感覚を味わうことができる。また、店舗にとっては、消費者のニーズに合致した新鮮な広告をタイムリーに提供することができると共に、商品情報と顧客情報の一元管理が可能となり、運営の効率化を図ることができる。なお、広告の配信予約のない時間帯には、広告の更新時に、広告制御部７は、有効表示期間の２４時間内で最も古い広告を広告画面２９において最上部に表示させる。
【００４２】
そして、このように広告画面２９が表示され、消費者が特定の商品の広告をクリックし、選択すると（Ｓ２０３）、その選択データは広告配信サーバ１に送信され、広告配信サーバ１では、広告制御部７がその選択データに基づき、選択された商品を取り扱う店舗側端末３に対してその旨通知し、その選択された商品の広告に関する詳細情報を消費者側端末４に配信するように命令する（Ｓ２０４）。そうすると、その詳細情報データは、店舗側端末３の制御部１７により通信部１８を介して消費者側端末４に配信され、その表示部２４において選択された商品の広告の詳細情報が表示されるため（Ｓ２０５）、消費者はその詳細情報を参照しながら商品を購入することができる（Ｓ２０６）。
【００４３】
一方、前記ステップ２０４において、広告配信サーバ１が、消費者側端末４から前記商品の選択データを受信すると、選択データ分析部９はその選択データを分析し（Ｓ２０７）、クリックされた回数をカウントすることによりクリック回数の多い順に商品の一覧を表示した「クリックランキング」を作成すると共に、クリックのない商品の一覧を優先的に表示した「ピックアップ」を作成する（Ｓ２０８）。そして、選択データ分析部９は、前記各分析データを選択データ格納部１４に格納すると共に、消費側端末４の表示部２４において広告画面２９の左欄に「クリックランキング」及び「ピックアップ」を表示させる（Ｓ２０９）。以降、継続して、広告制御部７は、前記配信希望情報に基づき、１分毎に最新の広告を自動生成する共に消費者側端末４に自動配信し（Ｓ２１０）、その最新の広告を広告画面２９の最上部に表示し、広告の更新を繰り返す（Ｓ２１１）。
【００４４】
上記したように、本発明の実施の形態によれば、消費者が求める商品に対し、店舗は高い確率で商品を提供することができるため、「生きた」需要と「生きた」供給を、自由競争のなかで融合させることができ、市場活性化に対しても効果を発揮することができる。
【００４５】
また、消費者が本システムを採用するポータルサイトにアクセスしているだけで最新の広告が自動更新され、２４時間以内のショッピング情報が表示されるため、消費者は表示されている時点で必ず販売している商品を確実に探し当てることができ、ショッピングを楽しむことができる。さらに、前記ポータルサイトと各店舗のウェブショップサイトとがリンクされており、消費者が特定の商品の広告を１回クリックするだけで、その特定の商品に関するさらに詳細な情報が表示されるため、消費者のショッピングの労力を軽減させることができる。
【００４６】
さらに、店舗にとっては、消費者から収集した商品動向データに基づき、配信する広告の日時や内容を任意に予約設定できると共に、消費者に対して自動配信させることができるため、広告を自ら管理することができる。したがって、広告の費用を抑制しながら、効果的な広告を配信することができるため、継続した広告展開が可能になり、今まで広告配信が費用的に困難であったウェブ商店も広告配信することができるようになる。さらにまた、自らのウェブショップでの商品情報と顧客管理の一元管理が容易にできるため、複数のショッピングモールに出店することなく、効率良い広告が可能となると共に、ウェブショップ運営の効率化を図ることができる。
【００４７】
なお、上記実施の形態において説明した広告の更新サイクルの間隔、各時間帯に予約可能な広告の最大件数の制限数、及び広告の有効表示期間は単なる例示に過ぎず、各種変更が可能である。また、商品動向分析画面２８の形態についても、上記した場合に限定されるものではなく、例えば、円グラフや棒グラフ、或いは折れ線グラフ等、他の形態で表示することも可能である。
【００４８】
また、上記した実施の形態においては、情報として商品の広告を配信する場合について説明したが、本発明は、例えば、時事問題などのニュース、劇場やスポーツ施設などの空き情報、求人情報など、広告以外の他の情報を配信する場合にも適用可能である。
【００４９】
さらに、上記実施の形態では、情報通信ネットワークとしてインターネットを利用した場合について説明したが、これは単なる例示に過ぎず、本発明は、専用通信回線等、他の情報通信ネットワークを利用した環境下においても実施可能であることは言う迄もない。
【図面の簡単な説明】
【００５０】
【図１】本発明の実施の形態に係る情報配信システムの全体構成を示す概略図である。
【図２】本発明の実施の形態に係る情報配信システムにおいて、店舗が商品の広告を登録する時の処理手順を示すフローチャートである。
【図３】本発明の実施の形態に係る情報配信システムにおいて、店舗が商品の広告を登録する時に表示される画面を示す図である。
【図４】本発明の実施の形態に係る情報配信システムにおいて、店舗が商品の広告を登録する時に表示される商品動向データの画面を示す図である。
【図５】本発明の実施の形態に係る情報配信システムにおいて、消費者が商品を購入する時の処理手順を示すフローチャートである。
【図６】本発明の実施の形態に係る情報配信システムにおいて、消費者が商品を購入する時に表示されるメインの広告画面を示す図である。
【図７】本発明の実施の形態に係る情報配信システムにおいて、消費者が商品を購入する時に表示されるサブ広告画面を示す図である。
【符号の説明】
【００５１】
１          広告配信サーバ
２          広告データベース
３          店舗側端末
４          消費者側端末
５          インターネット
７          広告制御部
９          選択データ分析部
１０        商品動向分析部
１３        広告データ格納部
【図１】
2006268078.tif 000003
【図２】
2006268078.tif 000004
【図３】
2006268078.tif 000005
【図４】
2006268078.tif 000006
【図５】
2006268078.tif 000007
【図６】
2006268078.tif 000008
【図７】
2006268078.tif 000009